(57)【要約】【課題】簡単な構造でコネクタのがたつきを抑え、端子金具の導通不良を防ぐことができるコネクタを提供する。【解決手段】コネクタ１は雄ハウジング２と雌ハウジング５とを備えている。雄ハウジング２は端子金具を収容する本体部６と筒状のアウタハウジング７とを備えている。雌ハウジング５は端子金具を収容する本体部３２と溝３４とを備えている。アウタハウジング７内に本体部３２が位置付けられて雄ハウジング２と雌ハウジング５とが嵌合すると、アウタハウジング７の先端部は溝３４に侵入する。アウタハウジング７の先端部が溝３４に保持されることによって、振動によるコネクタ１のがたつきを防ぎ、端子金具の接点の摩耗等による導通不良を防ぐ。【選択図】図２
2008146911.tif 000002
【特許請求の範囲】
【請求項１】
筒状のフード部を備えた一方のコネクタハウジングと、
前記一方のコネクタハウジングと嵌合する他方のコネクタハウジングと、を備え、
前記フード部内に前記他方のコネクタハウジングの端子収容部を位置付けて、前記一方のコネクタハウジングと前記他方のコネクタハウジングとが嵌合するコネクタにおいて、
前記他方のコネクタハウジングに設けられ、かつ、前記コネクタハウジング同士が嵌合すると前記フード部の先端部が侵入する溝部を備えたことを特徴とするコネクタ。
【請求項２】
前記溝部が、前記フード部の先端部から離れるにしたがって幅が狭くなるように設けられたことを特徴とする請求項１記載のコネクタ。
【請求項３】
前記溝部の内面と前記フード部の先端部とのうち少なくとも一方が、弾性材料で構成された弾性部材を備えたことを特徴とする請求項１または請求項２記載のコネクタ。
【請求項４】
前記一方のコネクタハウジングが係合部を備え、前記他方のコネクタハウジングが前記係合部と係合する係合受け部を備えるとともに、前記係合部と前記係合受け部とのうち少なくとも一方が、弾性材料で構成された弾性部材を備えたことを特徴とする請求項１ないし請求項３のうちいずれか一項に記載のコネクタ。
【発明の詳細な説明】
【技術分野】
【０００１】
本発明は、耐振動構造を備えたコネクタに関する。
【背景技術】
【０００２】
自動車には多くの電子機器が搭載されており、電子機器はワイヤハーネスを介して、自動車や他の電子機器と接続されている。電子機器とワイヤハーネスとは、それぞれが備えたコネクタ同士が嵌合することにより接続されている。
【０００３】
コネクタは、コネクタハウジングと、コネクタハウジングに収容される端子金具と、を備えている。コネクタ同士が嵌合すると、それぞれのコネクタハウジング内の端子金具が電気的に接続する。そして、ワイヤハーネスは電子機器に電力や制御信号等を伝達する。
【０００４】
このようなコネクタは、例えばエンジンルーム等の過酷な振動条件下で用いられることがある。するとコネクタは振動によってがたつき、電気的に接続した端子金具は、接点が摩耗して導通不良を起こす虞があった。
【０００５】
この種の問題を解決するために、様々なコネクタが考案されている（例えば、特許文献１参照）。この種のコネクタは、雄コネクタハウジング（以下、雄ハウジングとよぶ）と、雄ハウジングと嵌合する雌コネクタハウジング（以下、雌ハウジングとよぶ）と、を備えている。雄ハウジングは、端子金具を収容した本体部と、該本体部の外側に取り付けられた弾性部材と、該本体部の外側に本体部と間隔をあけて設けられたアウタハウジングと、を備えている。雌ハウジングは、端子金具を収容したフード状の本体部を備えている。
【０００６】
雄ハウジングの本体部とアウタハウジングとの間に雌ハウジングの本体部が侵入して、雄ハウジングと雌ハウジングとが嵌合する。弾性部材は、雄ハウジングの本体部の外側と雌ハウジングの本体部の内側との間に位置付けられる。そして、弾性部材の雄ハウジング寄りの一端部を雌ハウジングの先端部が押圧するとともに、弾性部材の一端部と反対側の他端部を雌ハウジングの本体部の基端部側の内面に設けられた突起が押圧していた。
【特許文献１】特開２００５−１７４８１３号公報
【発明の開示】
【発明が解決しようとする課題】
【０００７】
前述した特許文献１等に記載されたコネクタは、弾性部材は、雄ハウジングの本体部の外側と雌ハウジングの本体部の内側との間に位置付けられていた。このため、雄ハウジングのアウタハウジングは、振動によってがたつく虞があった。そしてこのがたつきによって、端子金具の接点が摩耗して導通不良を起こす虞があり、最悪の場合は端子金具が破損する虞があった。
【０００８】
したがって、本発明の目的は、簡単な構造でコネクタのがたつきを抑え、端子金具の導通不良を防ぐことができるコネクタを提供することにある。
【課題を解決するための手段】
【０００９】
前記課題を解決し目的を達成するために、請求項１に記載の本発明のコネクタは、筒状のフード部を備えた一方のコネクタハウジングと、前記一方のコネクタハウジングと嵌合する他方のコネクタハウジングと、を備え、前記フード部内に前記他方のコネクタハウジングの端子収容部を位置付けて、前記一方のコネクタハウジングと前記他方のコネクタハウジングとが嵌合するコネクタにおいて、前記他方のコネクタハウジングに設けられ、かつ、前記コネクタハウジング同士が嵌合すると前記フード部の先端部が侵入する溝部を備えたことを特徴としている。
【００１０】
請求項２に記載の本発明のコネクタは、請求項１に記載のコネクタにおいて、前記溝部が、前記フード部の先端部から離れるにしたがって幅が狭くなるように設けられたことを特徴としている。
【００１１】
請求項３に記載の本発明のコネクタは、請求項１または請求項２に記載のコネクタにおいて、前記溝部の内面と前記フード部の先端部とのうち少なくとも一方が、弾性材料で構成された弾性部材を備えたことを特徴としている。
【００１２】
請求項４に記載の本発明のコネクタは、請求項１ないし請求項３のうちいずれか一項に記載のコネクタにおいて、前記一方のコネクタハウジングが係合部を備え、前記他方のコネクタハウジングが前記係合部と係合する係合受け部を備えるとともに、前記係合部と前記係合受け部とのうち少なくとも一方が、弾性材料で構成された弾性部材を備えたことを特徴としている。
【００１３】
請求項１に記載した本発明のコネクタによれば、他方のコネクタハウジングが、一方のコネクタハウジングに設けられたフード部の先端部が侵入する溝部を備えている。このため、フード部の先端部は溝部に侵入し、コネクタハウジング同士は安定して固定される。
【００１４】
請求項２に記載した本発明のコネクタによれば、溝部が、フード部の先端部から離れるにしたがって幅が狭くなるように設けられている。このため、フード部の先端部は溝部の内面と安定して接触し、コネクタハウジング同士はより安定して固定される。
【００１５】
請求項３に記載した本発明のコネクタによれば、溝部の内面とフード部の先端部とのうち少なくとも一方が、弾性部材を備えている。このため、弾性部材を介してして溝部の内面とフード部の先端部とは密着した状態で接触する。また、弾性部材は弾性変形してコネクタハウジングのがたつきを吸収する。
【００１６】
請求項４に記載した本発明のコネクタによれば、一方のコネクタハウジングが係合部を備え、他方のコネクタハウジングが係合受け部を備えるとともに、係合部と係合受け部とのうち少なくとも一方が、弾性部材を備えている。このため、弾性部材を介して係合部と係合受け部とは密着した状態で接触する。また、弾性部材は弾性変形してコネクタハウジングのがたつきを吸収する。
【発明の効果】
【００１７】
以上説明したように、請求項１に記載の本発明は、他方のコネクタハウジングが、一方のコネクタハウジングに設けられたフード部の先端部が侵入する溝部を備えている。このため、フード部の先端部は溝部に侵入し、コネクタハウジング同士は安定して固定される。したがって、簡単な構造でコネクタのがたつきを抑え、端子金具の摩耗等による導通不良を防ぐことができる。
【００１８】
請求項２に記載の本発明は、溝部が、フード部の先端部から離れるにしたがって幅が狭くなるように設けられている。このため、フード部の先端部は溝部の内面と安定して接触し、コネクタハウジング同士はより安定して固定される。したがって、簡単な構造でコネクタのがたつきをさらに抑え、端子金具の摩耗等による導通不良を防ぐことができる。
【００１９】
請求項３に記載の本発明は、溝部の内面とフード部の先端部とのうち少なくとも一方が、弾性部材を備えている。このため、弾性部材を介して溝部の内面とフード部の先端部とは密着した状態で接触し、弾性部材は弾性変形してコネクタハウジングのがたつきを吸収する。したがって、簡単な構造でコネクタのがたつきをさらに抑え、端子金具の摩耗等による導通不良を防ぐことができる。また、弾性部材を熱に強い弾性材料から構成することによって、熱劣化によるがたつき防止効果の低減を防ぐことができる。
【００２０】
請求項４に記載の本発明は、一方のコネクタハウジングが係合部を備え、他方のコネクタハウジングが係合受け部を備えるとともに、係合部と係合受け部とのうち少なくとも一方が、弾性部材を備えている。このため、弾性部材を介して係合部と係合受け部とは密着した状態で接触する。また、弾性部材は弾性変形してコネクタハウジングのがたつきを吸収する。したがって、簡単な構造でコネクタのがたつきをさらに抑え、端子金具の摩耗等による導通不良を防ぐことができる。また、弾性部材を熱に強い弾性材料から構成することによって、熱劣化によるがたつき防止効果の低減を防ぐことができる。
【発明を実施するための最良の形態】
【００２１】
以下、本発明の第一の実施形態にかかるコネクタを図１ないし図８を参照して説明する。本発明の第一の実施形態にかかるコネクタ１は、図１及び図２に示すように、雄コネクタハウジング２（以下、雄ハウジング２とよぶ）と、雌コネクタハウジング５（以下、雌ハウジング５とよぶ）と、を備えている。
【００２２】
本実施形態においては、雄ハウジング２は特許請求の範囲に記載の一方のコネクタハウジングに相当し、雌ハウジング５は他方のコネクタハウジングに相当する。また、雄ハウジング２の後述するアウタハウジング７はフード部に、雌ハウジング５の後述する本体部３２は端子収容部に、雌ハウジング５の後述する溝３４は溝部に、それぞれ相当する。
【００２３】
雄ハウジング２は、絶縁性の合成樹脂等から形成されている。雄ハウジング２は、図６及び図７に示すように、本体部６と、アウタハウジング７と、を備えている。本体部６は、筒状に形成されている。本体部６は、電線の端末に取り付けられた端子金具（図示せず）を内部に収容する。端子金具は、導電性の板金等から形成されている。端子金具は、雄ハウジング２と雌ハウジング５とが嵌合すると、雌ハウジング５の端子金具と電気的に接続する。
【００２４】
アウタハウジング７は、外壁７ａを備えて筒状に形成されている。アウタハウジング７は、内部に本体部６を収容する。アウタハウジング７は、本体部６と間隔をあけて配置されている。アウタハウジング７は、図７等に示すように、孔１１と、切り欠き部１２と、ガイド凹部１３と、弾性部材２０と、接触部８と、ロックアーム９と、を備えている。
【００２５】
孔１１は、平面形状が略矩形状に形成されている。孔１１は、アウタハウジング７の嵌合する雌ハウジング５寄りの外壁７ａを貫通して設けられている。孔１１は、アウタハウジング７のロックアーム９と相対する外壁７ａを貫通して設けられている。孔１１は、ロックアーム９の後述する一端部１６を露出させる。孔１１には、弾性変形したロックアーム９の一端部１６が通る。
【００２６】
切り欠き部１２は、アウタハウジング７の嵌合する雌ハウジング５から離れた端部から、雌ハウジング５に近づく方向に外壁７ａを切り欠いて形成されている。切り欠き部１２と孔１１とは、雄ハウジング２と雌ハウジング５の嵌合方向に沿って並んで配置されている。
【００２７】
ガイド凹部１３は、図６に示すように、アウタハウジング７の内面から凹に複数設けられている。ガイド凹部１３は、雄ハウジング２と雌ハウジング５の嵌合方向に沿って延在している。ガイド凹部１３には、雌ハウジング５の後述するガイドリブ３７が侵入し、雄ハウジング２と雌ハウジング５とを正しい向きで嵌合させる。
【００２８】
弾性部材２０は、アウタハウジング７の先端部（嵌合する雌ハウジング５寄りの端部）に設けられている。弾性部材２０は、アッシーや二色成形等により設けられる。弾性部材２０は、ゴム等の弾性材料から構成されている。弾性部材２０は、熱劣化によるがたつき防止効果の低減を防ぐため、熱に強い弾性材料から構成されている。弾性部材２０は、雌ハウジング５の後述する溝３４と接触して、アウタハウジング７の先端部が溝３４内でがたつくのを防ぐ。
【００２９】
接触部８は、図６等に示すように、略角柱状に形成され、長手方向の両端がアウタハウジング７と連なっている。接触部８は、ロックアーム９の長手方向に直交する方向に配置されている。接触部８は、孔１１と切り欠き部１２との間に配置されている。接触部８は、ロックアーム９と相対して、ロックアーム９と間隔をあけて配置されている。接触部８は、ロックアーム９が雌ハウジング５の係合突起３３に係合する際に、ロックアーム９と接触する。
【００３０】
ロックアーム９は、アウタハウジング７の外壁７ａと連なって形成されている。ロックアーム９は、長手方向が雄ハウジング２と雌ハウジング５の嵌合方向と平行になるように設けられている。ロックアーム９は、長手方向の一端部１６（図７中左側）が嵌合する雌ハウジング５寄りに、一端部１６と反対側の他端部１７（図７中右側）が雌ハウジング５から離れた側に配置されている。ロックアーム９は、アウタハウジング７と連結する連結部１４と、アーム本体１５と、を備えている。
【００３１】
連結部１４は、切り欠き部１２に切り欠かれたアウタハウジング７の外壁７ａから、嵌合する雌ハウジング５から離れる方向に延びて一対設けられている。連結部１４と外壁７ａとの接触箇所は、ロックアーム９の長手方向の中央部に位置付けられる。一対の連結部１４は、互いの間にアーム本体１５を位置付けている。一対の連結部１４は、アーム本体１５の他端部１７と連結している。
【００３２】
アーム本体１５は、帯板状に形成されている。アーム本体１５は、本体部６とアウタハウジング７との間に配置されている。アーム本体１５は、図７等に示すように、係合部としての係合孔１８と、操作部１９と、を備えている。
【００３３】
係合孔１８は、アーム本体１５を貫通して設けられている。係合孔１８は、アーム本体１５の一端部１６に設けられている。係合孔１８は、平面形状が略矩形状に形成されている。係合孔１８には、雌ハウジング５の後述する係合突起３３が侵入する。係合孔１８に係合突起３３が侵入することによって、ロックアーム９と係合突起３３とが係合し、雄ハウジング２と雌ハウジング５との嵌合が保持される。係合孔１８の内面は、弾性部材２１を備えている。
【００３４】
弾性部材２１は、係合孔１８の嵌合する雌ハウジング５寄りの内面に設けられている。弾性部材２１は、アッシーや二色成形等により設けられる。弾性部材２１は、ゴム等の弾性材料から構成されている。弾性部材２１は、熱劣化によるがたつき防止効果の低減を防ぐため、熱に強い弾性材料から構成されている。弾性部材２１は、係合突起３３と接触して、係合突起３３が係合孔１８内でがたつくのを防ぐ。
【００３５】
操作部１９は、アーム本体１５の本体部６から離れた外面に設けられている。操作部１９は、アーム本体１５の他端部１７に設けられている。操作部１９を押し下げることによって、ロックアーム９と係合突起３３との係合が解除される。
【００３６】
前述した構成の本体部６とアウタハウジング７との間には、図７等に示すように、隙間１０が形成される。隙間１０には、本体部３２の外壁３２ａが侵入する。隙間１０の嵌合する雌ハウジング５から離れた端部１０ａは、奥側（図７中右側）にいくにしたがって幅が狭くなるように、テーパ状に形成されている。また、端部１０ａは、断面形状が円弧状に形成されていてもよい。
【００３７】
雌ハウジング５は、絶縁性の合成樹脂等から形成されている。雌ハウジング５は、図３及び図４に示すように、カバー部３１と、本体部３２と、係合受け部としての係合突起３３と、溝３４と、を備えている。カバー部３１は、有底筒状に形成されている。カバー部３１は、雌ハウジング５の嵌合する雄ハウジング２から離れた側に設けられている。カバー部３１は、底壁３１ａと、底壁３１ａの周縁に連なる周壁３１ｂと、立壁３１ｃと、を備えている。
【００３８】
底壁３１ａは、平板状に形成されている。底壁３１ａは、雌ハウジング５と雄ハウジング２とが嵌合する方向に直交する方向に配置されている。底壁３１ａは、図４に示すように、図示しない端子金具が通る端子孔部３６とを備えている。端子孔部３６は、筒状に形成され、底壁３１ａの本体部３２から離れた外面から凸に設けられている。端子孔部３６の内部には、端子金具が通って本体部３２側に突出する端子孔３６ａが形成されている。
【００３９】
周壁３１ｂは、底壁３１ａの周縁から、本体部３２から離れる方向に延びて設けられている。立壁３１ｃは、底壁３１ａの本体部３２寄りの外面から立設されている。立壁３１ｃは、本体部３２の外壁３２ａと間隔をあけて、本体部３２の外周全体に亘って設けられている。
【００４０】
本体部３２は、外壁３２ａによって筒状に形成されている。本体部３２は、カバー部３１の底壁３１ａと連なっている。本体部３２の内部は、端子孔３６ａに侵入した端子金具（図示せず）を収容する。端子金具は、導電性の板金等から形成されている。端子金具は、電線の端末に取り付けられる。端子金具は、雌ハウジング５と雄ハウジング２とが嵌合すると、雄ハウジング２の端子金具と電気的に接続される。本体部３２は、図４等に示すように、ガイドリブ３７と、弾性部材３５と、を備えている。
【００４１】
ガイドリブ３７は、本体部３２の外面から凸に複数設けられている。ガイドリブ３７は、雌ハウジング５と雄ハウジング２の嵌合方向に沿って延在している。ガイドリブ３７は、雄ハウジング２のガイド凹部１３に侵入し、雌ハウジング５と雄ハウジング２とを正しい向きで嵌合させる。
【００４２】
弾性部材３５は、本体部３２の先端部（嵌合する雄ハウジング２寄りの端部）に設けられている。弾性部材３５は、アッシーや二色成形等により設けられる。弾性部材３５は、ゴム等の弾性材料から構成されている。弾性部材３５は、熱劣化によるがたつき防止効果の低減を防ぐため、熱に強い弾性材料から構成されている。弾性部材３５は、雄ハウジング２の後述する隙間１０の端部１０ａと接触して、本体部３２の先端部が端部１０ａ内でがたつくのを防ぐ。
【００４３】
係合突起３３は、図３等に示すように、本体部３２の外面から凸に設けられている。係合突起３３は、雄ハウジング２のロックアーム９の係合孔１８と係合し、雌ハウジング５と雄ハウジング２との嵌合を保持する。
【００４４】
溝３４は、図４等に示すように、立壁３１ｃと本体部３２の外壁３２ａとの間に形成される。溝３４には、雄ハウジング２のアウタハウジング７の先端部が侵入する。溝３４は、奥側（図４中右側）にいくにしたがって幅が狭くなるように、テーパ状に形成されている。また、溝３４は、断面形状が円弧状に形成されていてもよい。
【００４５】
前述した構成のコネクタ１を組み立てる際には、まず、雄ハウジング２の本体部６とアウタハウジング７との間の隙間１０に、雌ハウジング５の本体部３２の外壁３２ａを侵入させていく。すると、雌ハウジング５の係合突起３３が、雄ハウジング２のロックアーム９の一端部１６と接触する。ロックアーム９は係合突起３３に押し上げられて弾性変形し、ロックアーム９は接触部８と接触する。
【００４６】
さらに雄ハウジング２と雌ハウジング５とを近づけていくと、ロックアーム９の一端部１６から接触部８までは係合突起３３によってさらに押し上げられる。そして、ロックアーム９の係合孔１８に係合突起３３が侵入し、係合孔１８と係合突起３３とが係合する。係合突起３３は、係合孔１８の弾性部材２１を弾性変形させ、係合孔１８内にがたつくことなく収容される。雄ハウジング２と雌ハウジング５とは嵌合して、コネクタ１が組み立てられる。
【００４７】
前述のように雄ハウジング２と雌ハウジング５とが嵌合すると、雄ハウジング２のアウタハウジング７は、内部に雌ハウジング５の本体部３２を位置付ける。また、雌ハウジング５の本体部３２は、内部に雄ハウジング２の本体部６を位置付ける。
【００４８】
また、図２に示すように、雄ハウジング２のアウタハウジング７の先端部は、雌ハウジング５の溝３４内に侵入する。アウタハウジング７の先端部の弾性部材２０は、弾性変形してテーパ状に設けられた溝３４の内面と密着した状態で接触し、溝３４内にがたつくことなく収容される。また、雌ハウジング５の本体部３２の先端部は、雄ハウジング２の隙間１０の端部１０ａに侵入する。本体部３２の先端部の弾性部材３５は、弾性変形してテーパ状に設けられた隙間１０の端部１０ａと密着した状態で接触し、端部１０ａ内にがたつくことなく収容される。
【００４９】
本実施形態によれば、雌ハウジング５が、雄ハウジング２のアウタハウジング７の先端部が侵入する溝３４を備えている。このため、アウタハウジング７の先端部は溝３４に侵入し、雌ハウジング５と雄ハウジング２とは安定して固定される。したがって、簡単な構造でコネクタ１のがたつきを抑え、端子金具の摩耗等による導通不良を防ぐことができる。
【００５０】
溝３４が、アウタハウジング７の先端部から離れるにしたがって幅が狭くなるように設けられている。このため、アウタハウジング７の先端部は溝３４の内面と安定して接触し、雌ハウジング５と雄ハウジング２とはより安定して固定される。したがって、簡単な構造でコネクタ１のがたつきをさらに抑え、端子金具の摩耗等による導通不良を防ぐことができる。
【００５１】
アウタハウジング７の先端部が、弾性部材２０を備えている。このため、弾性部材２０を介してアウタハウジング７の先端部と溝３４の内面とは密着した状態で接触し、弾性部材２０は弾性変形して雄ハウジング２と雌ハウジング５のがたつきを吸収する。したがって、簡単な構造でコネクタ１のがたつきをさらに抑え、端子金具の摩耗等による導通不良を防ぐことができる。また、弾性部材２０を熱に強い弾性材料から構成することによって、熱劣化によるがたつき防止効果の低減を防ぐことができる。
【００５２】
雄ハウジング２が係合孔１８を備え、雌ハウジング５が係合突起３３を備え、係合孔１８が弾性部材２１を備えている。このため、弾性部材２１を介して係合孔１８と係合突起３３とは密着した状態で接触し、弾性部材２１は弾性変形して雄ハウジング２と雌ハウジング５のがたつきを吸収する。したがって、簡単な構造でコネクタのがたつきをさらに抑え、端子金具の摩耗等による導通不良を防ぐことができる。また、弾性部材２１を熱に強い弾性材料から構成することによって、熱劣化によるがたつき防止効果の低減を防ぐことができる。
【００５３】
前述した第一の実施形態においては、弾性部材２０はアウタハウジング７の先端部に設けられていた。しかしながら、本発明では、弾性部材２０は溝３４の内面に設けられていてもよい。さらに、弾性部材２０は、アウタハウジング７の先端部と溝３４の内面との両方に設けられていてもよい。
【００５４】
また、前述した第一の実施形態においては、弾性部材２１は係合孔１８の内面に設けられていた。しかしながら、本発明では、弾性部材２１は係合突起３３の外面に設けられていてもよい。さらに、弾性部材２１は、係合孔１８の内面と係合突起３３の外面との両方に設けられていてもよい。
【００５５】
次に、本発明の第二の実施形態にかかるコネクタを図９を参照して説明する。なお、前述した第一の実施形態と同一構成部分には、同一符号を付して説明を省略する。
【００５６】
本実施形態においては、雌ハウジング５は特許請求の範囲に記載の一方のコネクタハウジングに相当し、雄ハウジング２は他方のコネクタハウジングに相当する。また、雌ハウジング５の本体部３２の外壁３２ａはフード部に、雄ハウジング２の本体部６は端子収容部に、雄ハウジング２の端部１０ａは溝部に、それぞれ相当する。
【００５７】
本実施形態の雄ハウジング２は、図９に示すように、本体部６とアウタハウジング７との間に形成される隙間１０の端部１０ａに、弾性部材２２を備えている。弾性部材２２は、端部１０ａの内面にアッシーや二色成形等により設けられる。弾性部材２２は、ゴム等の弾性材料から構成されている。弾性部材２２は、熱劣化によるがたつき防止効果の低減を防ぐため、熱に強い弾性材料から構成されている。
【００５８】
弾性部材２２は、雌ハウジング５の本体部３２の外壁３２ａと接触する。弾性部材２２には、外壁３２ａの先端部が侵入する溝２２ａが形成されている。さらに、弾性部材２２は、外壁３２ａと相対する面がテーパ状に形成され、外壁３２ａの先端部が侵入しやすくなっている。また、外壁３２ａの先端部は、端部１０ａに侵入しやすいようにテーパ状に尖って形成されている。
【００５９】
前述した構成の隙間１０の端部１０ａには、雄ハウジング２と雌ハウジング５とが嵌合すると、雌ハウジング５に設けられた本体部３２の外壁３２ａの先端部が侵入する。外壁３２ａの先端部は、弾性部材２２の溝２２ａに侵入して弾性部材２２を弾性変形させ、溝２２ａに収容されるように弾性部材２２と密着する。弾性部材２２は、外壁３２ａ即ち雌ハウジング５の全方向のがたつきを吸収する。
【００６０】
本実施形態においては、雄ハウジング２が、雌ハウジング５に設けられた本体部３２の外壁３２ａの先端部が侵入する端部１０ａを備えている。このため、外壁３２ａの先端部は端部１０ａに侵入し、雄ハウジング２と雌ハウジング５とは安定して固定される。したがって、簡単な構造でコネクタ１のがたつきを抑え、端子金具の摩耗等による導通不良を防ぐことができる。
【００６１】
端部１０ａが、外壁３２ａの先端部から離れるにしたがって幅が狭くなるように設けられている。このため、外壁３２ａは端部１０ａの内面と安定して接触し、雄ハウジング２と雌ハウジング５とはより安定して固定される。したがって、簡単な構造でコネクタ１のがたつきをさらに抑え、端子金具の摩耗等による導通不良を防ぐことができる。
【００６２】
端部１０ａの内面が、弾性部材２２を備えている。このため、弾性部材２２を介して端部１０ａの内面と外壁３２ａの先端部とは密着した状態で接触し、弾性部材２２は弾性変形して雄ハウジング２と雌ハウジング５のがたつきを吸収する。したがって、簡単な構造でコネクタ１のがたつきをさらに抑え、端子金具の摩耗等による導通不良を防ぐことができる。また、弾性部材２２が外壁３２ａの先端部を収容するように位置付けられるため、全方向へのがたつきを効果的に抑えることができる。また、弾性部材２２を熱に強い弾性材料から構成することによって、熱劣化によるがたつき防止効果の低減を防ぐことができる。
【００６３】
前述した第二の実施形態においては、弾性部材２２は端部１０ａの内面に設けられていた。しかしながら、本発明では、弾性部材２２は外壁３２ａの先端部に設けられていてもよい。さらに、弾性部材２２は、端部１０ａの内面と外壁３２ａの先端部とに設けられていてもよい。
【００６４】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００６５】
【図１】本発明の第一の実施形態にかかるコネクタの斜視図である。
【図２】図１中のＩＩ−ＩＩ線に沿う断面図である。
【図３】図１に示された雌ハウジングの斜視図である。
【図４】図３中のＩＶ−ＩＶ線に沿う断面図である。
【図５】図３に示された雌ハウジングの正面図である。
【図６】図１に示された雄ハウジングの斜視図である。
【図７】図６中のＶＩＩ−ＶＩＩ線に沿う断面図である。
【図８】図６に示された雄ハウジングの正面図である。
【図９】本発明の第二の実施形態にかかるコネクタの雄ハウジングの断面図である。
【符号の説明】
【００６６】
１    コネクタ
２    雄ハウジング（第一の実施形態  一方のコネクタハウジング、第二の実施形態  他方のコネクタハウジング）
５    雌ハウジング（第一の実施形態  他方のコネクタハウジング、第二の実施形態  一方のコネクタハウジング）
６    本体部（第二の実施形態  端子収容部）
７    アウタハウジング（第一の実施形態  フード部）
１０    隙間
１０ａ    端部（第二の実施形態  溝部）
１８    係合孔（係合部）
２０    弾性部材
２１    弾性部材
２２    弾性部材
３２    本体部（第一の実施形態  端子収容部）
３２ａ    外壁（第二の実施形態  フード部）
３３    係合突起（係合受け部）
３４    溝（第一の実施形態  溝部）
３５    弾性部材
【図１】
2008146911.tif 000003
【図２】
2008146911.tif 000004
【図３】
2008146911.tif 000005
【図４】
2008146911.tif 000006
【図５】
2008146911.tif 000007
【図６】
2008146911.tif 000008
【図７】
2008146911.tif 000009
【図８】
2008146911.tif 000010
【図９】
2008146911.tif 000011